(57)【要約】      （修正有）【課題】十分な強度を有しつつ、折り畳み機構とスライド機構を備えて、様々な利用シーンに対応したスタイルをとることのできる折り畳み携帯端末を提供する。【解決手段】第１の筐体と第２の筐体および第２の筐体と第３の筐体が回転可能に連結される回転機構を備え、第１の筐体が第２の筐体に対してスライドすることが可能なスライド機構を備え、第１の筐体と第２の筐体とを繋留する係止手段を備える。【選択図】図１
2012109765.tif 000002
【特許請求の範囲】
【請求項１】
第１の筐体と第２の筐体と第３の筐体とからなる折り畳み携帯端末において、
前記折り畳み携帯端末は、
前記第１の筐体と前記第２の筐体を回転可能に連結する第１のヒンジと、
前記第２の筐体と前記第３の筐体を回転可能に連結する第２のヒンジと、
前記第１の筐体を前記第２の筐体に対してスライドさせるスライド機構と、
を備えることを特徴とする折り畳み携帯端末。
【請求項２】
前記スライド機構は、前記第１の筐体を前記第２の筐体に対して直線状にスライドさせることを特徴とする請求項１記載の折り畳み携帯端末。
【請求項３】
前記第１のヒンジの回転軸と前記第２のヒンジの回転軸とが直交し、前記第１の筐体が前記第２のヒンジの回転軸に対して直線状にスライドすることを特徴とする請求項１又は２記載の折り畳み携帯端末。
【請求項４】
前記第１の筐体と前記第２の筐体が上筐体を構成し、前記第３の筐体が下筐体を構成し、前記上筐体と前記下筐体とが折り畳み可能であることを特徴とする請求項１から請求項３に記載の折り畳み携帯端末。
【請求項５】
前記第１の筐体と前記第２の筐体との間には、前記第１の筐体と前記第２の筐体とを選択的に繋留する少なくともひとつの係止手段を備えることを特徴とする請求項１から請求項４に記載の折り畳み携帯端末。
【請求項６】
前記スライド機構は、少なくともスライダー部と前記第１の筐体の空間部によって構成され、前記スライダー部は、前記第１のヒンジに固定され前記空間部内をスライドすることを特徴とする請求項３記載の折り畳み携帯端末。
【請求項７】
前記第１の筐体の少なくとも一方の端部は、半径rの丸い形状をしており、この半径rは、前記第1の筐体の厚さの略２分の１であることを特徴とする請求項６記載の折り畳み携帯端末。
【請求項８】
前記第２の筐体が前記第３の筐体に対して回転せず静止した状態(Ｂ０)で、前記第1の筐体が前記第２の筐体に対してスライド後に前記第１のヒンジの回転軸を中心に回転できる位置までスライドすることを特徴とする請求項７記載の折り畳み携帯端末。
【請求項９】
前記第１の筐体および／または前記第３の筐体には、カメラ、画面表示部およびキー操作部が設けられることを特徴とする請求項１から請求項８に記載の折り畳み携帯端末。
【発明の詳細な説明】
【技術分野】
【０００１】
本発明は携帯端末に係り、より詳細には、使用状況によって様々な形状、使用スタイルをとることを可能にしたスライド可能な折り畳み携帯端末に関する。
【背景技術】
【０００２】
携帯電話の普及に併せて、折り畳み式携帯端末、スライド式携帯端末など、様々な構造の携帯端末が提案されている。近年では、写真や動画の撮影に利用されるカメラやテレビチューナを備えた端末が主流となり、携帯電話の使用シーンが広がっている。
【０００３】
折り畳み式携帯端末の先行技術文献として特許文献１、特許文献２がある。図２２(ａ)(ｂ)は特許文献１の図２と図４である。図２２(ａ)(ｂ)に示すように特許文献１は、上筐体部を１８０度以上捻り回転可能な構成(図２２(ａ))とすることにより、画像表示部が外側となる状態で折り畳みできる(図２２(ｂ))ようにしている。このような携帯端末においては、閉状態では隠れてしまう下筐体部のキー操作部とは別に操作部が設けられており、端末を開かなくとも画面表示部の確認や操作を行うことができる。図２２(ｃ)(ｄ)(ｅ)はそれぞれ特許文献２の図８、図２、図１２である。特許文献２は、上筐体の長手方向の開閉機能(図２２(ｃ))および短手方向の開閉機能(図２２(ｄ))と、上筐体の表裏を反転した状態で折り畳む機能(図２２(ｅ))とを備えた折り畳み式携帯電話装置を提案するものである。
【先行技術文献】
【特許文献】
【０００４】
【特許文献１】特開２００２−１１８６３３号公報
【特許文献２】特開２００５−１９８０６２号公報
【発明の概要】
【発明が解決しようとする課題】
【０００５】
前述のように、様々な利用シーンや使用スタイルに対応した形態をとることのできる携帯端末が種々開発されているが、これら従来の携帯端末には、以下に示すような課題が残っている。
特許文献１、特許文献２で提案されている携帯電話装置は、上筐体を反転した状態で折り畳む機能を備えているが、上筐体を下筺体に対しスライドさせる構成や、上筐体の表裏を反転した状態で上筺体を下筺体に対しでスライドさせる構成を有していないため、スライド式携帯端末の使用スタイルを実現させることはできない。また、使用スタイルを変更するために手間が掛かるという課題がある。例えば、図２２(ｄ)から図２２(ｅ)へ使用スタイルを変更する場合、３つの回転軸の回転を行う必要がある。
【０００６】
更に、複数の使用スタイルをとることの可能な携帯端末においては、各筐体の連結部の強度が大きな課題となる。また、外部から意図せぬ力が加えられた場合でも、現在利用しているスタイルを保持することのできる安定した構造も求められる。
【課題を解決するための手段】
【０００７】
以上のような課題を解決するために本発明の折り畳み携帯端末は以下に示す特徴を備える。
本発明の折り畳み携帯端末は、第１の筐体と第２の筐体と第３の筐体とからなり、前記第１の筐体と前記第２の筐体を回転可能に連結する第１のヒンジと、前記第２の筐体と前記第３の筐体を回転可能に連結する第２のヒンジと、前記第１の筐体を前記第２の筐体に対してスライドさせるスライド機構とを備えることを特徴とする。
また、本発明の折り畳み携帯端末の前記スライド機構は、前記第１の筐体を前記第２の筐体に対して直線状にスライドさせることを特徴とする。
また、本発明の折り畳み携帯端末は、前記第１のヒンジの回転軸と前記第２のヒンジの回転軸とが直交し、前記第１の筐体が前記第２のヒンジの回転軸に対して直線状にスライドすることを特徴とする。
また、本発明の折り畳み携帯端末は、前記第１の筐体と前記第２の筐体が上筐体を構成し、前記第３の筐体が下筐体を構成し、前記上筐体と前記下筐体とが折り畳み可能であることを特徴とする。
また、本発明の折り畳み携帯端末は、前記第１の筐体と前記第２の筐体との間には、前記第１の筐体と前記第２の筐体とを選択的に繋留する少なくともひとつの係止手段を備えることを特徴とする。
また、本発明の折り畳み携帯端末の前記スライド機構は、少なくともスライダー部と前記第１の筐体の空間部によって構成され、前記スライダー部は、前記第１のヒンジに固定され前記空間部内をスライドすることを特徴とする。また、本発明の折り畳み携帯端末の前記第１の筐体の少なくとも一方の端部は、半径rの丸い形状をしており、この半径rは、前記第1の筐体の厚さの略２分の１であることを特徴とする。また、本発明の折り畳み携帯端末の前記第２の筐体が前記第３の筐体に対して回転せず静止した状態(Ｂ０)で、前記第1の筐体が前記第２の筐体に対してスライド後に前記第１のヒンジの回転軸を中心に回転できる位置までスライドすることを特徴とする。
また、本発明の折り畳み携帯端末は、前記第１の筐体および／または前記第３の筐体には、カメラ、画面表示部およびキー操作部が設けられることを特徴とする。
【発明の効果】
【０００８】
本発明の折り畳み携帯端末によれば、２つの直交した回転軸と１つのスライド軸を用いることにより、従来の携帯端末に比べ簡単な操作により、多様な使用スタイルを実現することが可能になる。
更に、係止手段を設けることによって、外部から意図せぬ力をかけられても現在の使用スタイルを維持することが可能となり、安定性をもたせることができる。
【図面の簡単な説明】
【０００９】
【図１】実施形態１における折り畳み携帯端末の構成、構造の概要図。
【図２】実施形態１における折り畳み携帯端末の構成、構造の概要図。
【図３】実施形態１における折り畳み携帯端末の構成、構造の概要図。
【図４】実施形態１における折り畳み携帯端末の構成、構造の概要図。
【図５】実施形態１における折り畳み携帯端末の回転機構の概要図。
【図６】実施形態１における折り畳み携帯端末の回転機構の概要図。
【図７】実施形態１における折り畳み携帯端末の回転機構の概要図。
【図８】実施形態１における折り畳み携帯端末の回転機構の概要図。
【図９】実施形態１における折り畳み携帯端末の回転機構の概要図。
【図１０】実施形態１における折り畳み携帯端末のスライド機構の概要図。
【図１１】実施形態１における折り畳み携帯端末のスライド機構の概要図。
【図１２】実施形態１における折り畳み携帯端末の端末使用スタイルを示す図。
【図１３】実施形態１における折り畳み携帯端末の端末使用スタイルを示す図。
【図１４】実施形態１における折り畳み携帯端末の端末使用スタイルを示す図。
【図１５】実施形態１における折り畳み携帯端末の端末使用スタイルを示す図。
【図１６】実施形態１における折り畳み携帯端末の端末使用スタイルを示す図。
【図１７】実施形態１における折り畳み携帯端末の端末使用スタイルを示す図。
【図１８】実施形態１における折り畳み携帯端末の端末使用スタイルを示す図。
【図１９】実施形態１における折り畳み携帯端末の端末使用スタイルを示す図。
【図２０】実施形態１における折り畳み携帯端末の構造とスライド機構を説明する図。
【図２１】実施形態２における折り畳み携帯端末の構成、構造の概要図。
【図２２】従来技術の折り畳み式携帯端末を示す図。
【発明を実施するための形態】
【００１０】
以下に、本発明を実施するための形態について説明する。なお、本発明はこれら実施の形態に何ら限定されるものではなく、その要旨を逸脱しない範囲において、種々なる態様で実施可能である。
［実施形態１］
実施形態１による折り畳み携帯端末(以下携帯端末５００とする)について図１から図１９を参照して説明する。なお、図１から図４は、携帯端末５００の構成、構造の概要を示す図であり、図５から図１１は携帯端末５００の回転機構とスライド機構を示す図であり、図１２から図１９は、この回転機構とスライド機構によって実現される携帯端末５００の使用スタイルの例を示す図である。以下に図に従い説明する。
【００１１】
図１は、携帯端末５００の基本的な構成を示す構成図である。図１に示すように、携帯端末５００は上筐体(第１の筐体１００と第２の筐体２００により構成)と下筐体(第３の筐体３００)により構成される。ここで第１の筐体１００と第２の筐体２００はヒンジ１０(第１のヒンジ)により回転可能に連結され、第２の筐体２００と第３の筐体３００は、ヒンジ２０(第２のヒンジ)により上筐体と下筐体を開閉可能に連結される。また、第１の筐体１００は表示部４１０を備え、第３の筐体３００はキー操作部４２０とその裏面にカメラ４３０を備える。ただし、どのような機能をいずれの筐体にどのように具備するかは適宜変更可能であり、例えば、カメラ４３０の横に赤外線送信部を構成するなど、図１に示す表示部４１０、キー操作部４２０、カメラ４３０の構成に限定されない。また、表示部４１０等を、折り畳まれた携帯端末の内側または外側のいずれの面に配置するかについても、任意に変更することが可能である。
【００１２】
図２、図３は、携帯端末５００の内部構造を図１よりも詳細に説明した図である。なお、図３は携帯端末５００の正面と上面と側面を図示し、配線４４０も図示している。図２、図３に示すヒンジ１０は、第１の筐体１００の内部に構成されるスライダー１３０を介して、第２の筐体２００に対して、第１の筐体１００を図２、図３に記載の状態から−１８０度から１８０度まで回転することが可能である。この回転軸を回転軸Ａ(第１のヒンジの回転軸)とする。また、ヒンジ２０は、第２の筐体２００を第３の筐体３００に対して、図２、図３に記載の状態から１８０度回転することが可能である。この回転軸を回転軸Ｂ(第２のヒンジの回転軸)とする。ここで、回転軸Ａと回転軸Ｂは直交する。また、第１の筐体１００は、第２の筐体２００寄りに空間部１１０を有し、空間部１１０内に形成されるレール１２０に沿ってスライドするスライダー１３０を有する。ここで、スライダー１３０がスライドする軸(スライド軸)をスライド軸Ｃとする。なお、スライダー１３０は、ヒンジ１０が第２の筐体２００に対して回転する作用によって、第２の筐体２００に対して回転する。また、スライダー１３０が第２の筐体２００に対して回転する作用によって、第１の筐体１００を回転させる。なお図２ではレール１２０をスライダー１３０の下部に構成するように図示し、図３には上部と下部の両方に構成するように図示したが、どちらでもよい。第１の筐体１００の空間部１１０と、レール１２０と、スライダー１３０とによりスライダー機構が構成されている。
【００１３】
図３に示したストッパ１４０を説明する。ストッパ１４０は、第１の筐体１００と第２の筐体２００を一体化する。またストッパ１４０は、ある程度の力が加わった場合のみ解除状態となる係止手段を有するものとする。このような係止手段のものとしては、例えばクリック機構や磁石などがあるが特に限定しない。また、係止手段の変形例としては、スイッチ式に固定状態と解除状態との切り替えが可能なスイッチを有してもよい。これら係止手段またはスイッチを備えることにより、第１の筐体１００および第２の筐体２００を、回転軸Ａに沿った回転方向にある程度以上の力が係止手段に加わらない状態で、または、スイッチが固定状態で、第３の筐体３００に対して、回転軸Ｂに沿った回転方向に力を加え回転させた場合、第１の筐体１００および第２の筐体２００を一体的に回転することができるので、第１の筐体１００の第２の筐体２００に対する意図せぬ回転を防止することが可能である。また、回転軸Ａに沿った回転方向にある程度の力が係止手段に加わった場合、または、スイッチが解除状態にされた場合は、ストッパ１４０ははずれるので、第１の筐体１００を第２の筐体２００に対して回転させることが可能になる。
また、ストッパ１４０は、回転軸Ｂを軸として携帯端末５００を長手方向に開閉させる際に掛かる力を分散させる働きも持つ。すなわち、ストッパ１４０が無ければ、上筐体(第１の筐体１００と第２の筐体２００により構成)を長手方向に開閉させる際に、ヒンジ１０に力が偏ってしまい、端末の破損につながる恐れがあるが、ストッパ１４０を設けることで、この力を分散させることができる。なお、ストッパ１４０の配置は、図３に示す位置、方向に限定されず、またストッパの個数も幾つでもよい。
携帯端末５００はこのようなストッパ１４０を備えることにより、各筐体の連結部の強度を上昇させることができ、また、外部から意図せぬ力が加えられた場合でも、使用しているスタイルを保持することのできる安定した構造を有することが可能になる。
【００１４】
図４は、回転軸Ａによる回転構造とスライド軸Ｃによるスライド構造を説明する図である。図４に示すように、スライダー１３０は、ヒンジ１０により、第２の筐体２００(図示していない)に対し回転軸Ａを軸として回転する。スライダー１３０は第１の筐体１００の空間部１１０内にあり、スライダー１３０が回転軸Ａを軸として回転することで第１の筐体１００も同時に回転する構造となっている。また、スライダー１３０は、第１の筐体１００の空間部１１０とレール１２０により、第１の筐体１００に対してスライドする。第２の筐体２００とヒンジ１０を介して連結されたスライダー１３０が第１の筐体１００に対してスライドすることで、第１の筐体１００は第２の筐体２００に対して、スライドする構造となっている。また、配線４４０は、電気的接続を行うために、第３の筐体３００から第２の筐体２００とスライダー１３０を介して、第１の筐体１００に接続される。配線４４０は、スライダー１３０がスライドするために、配線長に冗長を有して第１の筐体１００の内部に構成される。なお、配線の冗長部分が弛んで空間部１１０にはみ出さないように、ばね１５０などを備えて配線が第１の筐体１００内に収まるようにすることが望ましい。また、空間部１１０と第１の筐体１００の間に配線のための隙間が生じるが、ほこりなどが第１の筐体１００へ侵入することを防ぐために、隙間部分にフィルタや幕を設けることが望ましい。
【００１５】
図１から図４に示した携帯端末５００は、第２の筐体２００を、第３の筐体３００に対し長手方向に対して回転可能なように連結している。この場合、第１の筐体１００の第２の筐体２００に対するスライドは、短手方向のスライドとなる。一方、第２の筐体２００を、第３の筐体３００に対し短手方向に回転可能な連結することも可能であり、この場合、第１の筐体１００の第２の筐体２００に対するスライドは、長手方向のスライドとなる。
【００１６】
図５から図１１は、携帯端末５００の回転機構とスライド機構が作用する様子を例示する概要図である。図５、図６、図７は、第１の筐体１００が回転軸Ａにより、第２の筐体２００に対して回転する様子を示している。ここで、図７(ａ)のように第１の筐体１００が第２の筐体２００に対して静止している状態を“Ａ０”、図７(ｂ)のように９０度程度回転している状態を“Ａ１”、図７(ｃ)のように１８０度程度(または、“Ａ１”とは反対の方向に１８０度程度(すなわち−１８０度程度))回転している状態を“Ａ２”とする。
図８と図９は、第２の筐体２００が回転軸Ｂにより、第３の筐体３００に対して回転する様子を示している。図９(ａ)のように第２の筐体２００が第３の筐体３００に対して静止している状態を“Ｂ０”、図９(ｂ)のように９０度程度回転している状態を“Ｂ１”、図９(ｃ)のように１８０度程度回転している状態を“Ｂ２”とする。
【００１７】
図１０と図１１は、第１の筐体１００がスライド軸Ｃにより、第２の筐体２００に対してスライドする様子を示している。図１１(ａ)のように第１の筐体１００が第２の筐体２００に対して静止している状態(スライダー１３０が空間部１１０の一端部に位置している状態)を“Ｃ０”、図１１(ｂ)のように“Ｃ０”の状態からスライダー１３０が空間部１１０の他端部にスライドしている状態を“Ｃ１”とする。
なお図５から図９では、回転軸Ａの回転角が−１８０度から１８０度、回転軸Ｂの回転角が０度から１８０度である場合を例示したが、これ以外の角度を利用した端末の利用シーンを考えることも可能である。
【００１８】
実施形態１による携帯端末５００の使用スタイルを図１２から図１９に示して説明する。図１２から図１９は、上述した図５から図１１の説明で示した携帯端末５００の回転機構とスライド機構の作用によって実現するものであり、第１の筐体１００の回転(Ａ０、Ａ１、Ａ２)、第２の筐体２００の回転(Ｂ０、Ｂ１、Ｂ２)、第１の筐体１００のスライド(Ｃ０、Ｃ１)を組み合わせることで、様々な利用シーンに対応した端末スタイルを提案するものである。以下に図１２から図１９の端末スタイルを説明する。
【００１９】
(１)基本スタイル(折り畳みスタイル)(図１２)
Ａ０−Ｂ０−Ｃ０
上筐体を下筐体に対して折り畳んだスタイル。キー操作部４２０、表示部４１０が内側に折り畳まれ、２つの回転軸Ａ、Ｂが回転しておらず、スライダー１３０がスライド軸に沿ってスライドもしていないスタイルである。
【００２０】
(２)縦開き置きスタイル(縦置きＡＶ通話スタイル)(図１３)
Ａ０−Ｂ１−Ｃ０
第３の筐体３００に対して、上筺体(第１の筐体１００と第２の筐体２００構成)を長手方向に開いたスタイルである。
【００２１】
(３)縦開きスタイル(通話・ＡＶ通話スタイル)(図１４)
Ａ０−Ｂ２−Ｃ０
一般的な折り畳み式携帯電話端末で通話する時のスタイルである。キー操作部４２０の裏面のカメラ４３０を利用して風景等を写しながらのＡＶ通信や、ＡＶ通信中のキー操作も可能である。カメラ４３０と表示部４１０の向きが逆向きになっているので、第３の筐体３００のキー操作部４２０と表示部４１０が使用者の方を向いて撮影するスタイルである。画面、撮影される写真、ビデオの基本サイズは縦長となる。
【００２２】
(４)横開き置きスタイル(置き型ＴＶスタイル)(図１５)
Ａ１−Ｂ０−Ｃ０
上筐体を下筐体に対して短手方向に回転させたスタイル。第３の筐体３００を平面に置き、表示部４１０が設置された第１の筐体１００を傾けることで、机の上などに置いてテレビを視聴できるようにしたスタイルである。
【００２３】
(５)横開きスタイル(インターネットスタイル)(図１６)
Ａ２−Ｂ０−Ｃ０
テレビの利用、インターネットの利用、ＰＣ関連機能の利用に適したスタイルである。カメラ４３０と表示部４１０の向きが逆向きになっているので、相手撮りに適したスタイルである。画面、撮影される写真、ビデオの基本サイズは横長となる。
【００２４】
(６)自分撮りスタイル(横画面)(図１７)
Ａ０−Ｂ０−Ｃ１
図１２の基本スタイルから第１の筐体１００を短手方向にスライドさせたスタイル。カメラ４３０と表示部４１０の向きを同方向にし(図１７の下方向)、自分撮りに適したスタイルである。画面、撮影される写真、ビデオの基本サイズは横長となる。
【００２５】
(７)自分撮りスタイル(縦画面)(図１８)
Ａ２−Ｂ２−Ｃ１
カメラ４３０と表示部４１０の向きを同方向にし、自分撮りに適したスタイルである。画面、撮影される写真、ビデオの基本サイズは縦長となる。
【００２６】
(８)基本スタイル(画面表示部外向きの折り畳みスタイル・デジカメスタイル)(図１９)
Ａ２−Ｂ０−Ｃ１
第１の筐体１００の表裏を反転させた状態で折り畳んだスタイルである。端末を閉じた状態で表示部４１０の確認や操作ができる。また、カメラ４３０と表示部４１０とを１８０度の向きに配置され、デジタルカメラの様に利用できるスタイルである。なお、(１)基本スタイル(折り畳みスタイル)(図１２)から(８)基本スタイル(画面表示部外向きの折り畳みスタイル・デジカメスタイル)(図１９)へスタイル変更を行う方法として、例えば以下が挙げられる。
ひとつの方法は、Ａ０−Ｂ０−Ｃ０からＡ２−Ｂ０−Ｃ０である(５)横開きスタイル(インターネットスタイル)(図１６)を行い、Ａ２−Ｂ０−Ｃ１へ移行する方法である。もしくはＡ０−Ｂ０−Ｃ０からＡ０−Ｂ０−Ｃ１である(６)自分撮りスタイル(横画面)(図１７)を行い、Ａ２−Ｂ０−Ｃ１へ移行する方法である
【００２７】
上述した様々な使用スタイルを行うための携帯端末５００の構造とスライド機構について図２０を説明する。図２０(ａ)は、図２を短手側から見た図であり、携帯端末５００の第１の筐体１００が、図２の状態から図１５の状態へ回転する様子を示している。このように携帯端末５００の第１の筐体１００が回転軸Ａで回転可能であるために、特に図９(ａ)のように携帯端末５００の第２筐体２００が第３の筐体３００に対して静止している状態(Ｂ０)で、第１の筐体１００が図７のＡ０、Ａ１、Ａ２のそれぞれに示すように回転可能であるために、第１の筐体１００の図面中左側の端部は、図２０(ａ)のように半径ｒの丸い形状であることが望ましい。この半径ｒは、第1の筐体１００の厚さの略２分の１で、この略とは筐体の内壁とヒンジ１０の外周との間に、摩擦防止のために設ける僅かに隙間を含めることを意味している。
【００２８】
図２０(ｂ)は、図２０(ａ)と同じように図２を短手側から見た図であり、携帯端末５００の第１の筐体１００が、第２筐体２００が第３の筐体３００に対して静止している状態(Ｂ０)で、スライドする様子を示している。また、別の図を参照すれば、図２０(ｂ)は、図２の状態から図１７の状態へスライドする様子を示している。
【００２９】
図２０(ｂ)に示すように、実施形態１による携帯端末５００では、第１の筐体１００の図面中右側の端部も、図のように半径ｒの丸い形状であることが望ましい。そして、第1の筐体１００の図面中右側の端部は、図面中実線の状態から破線の状態まで、図面中左側にスライド可能である。そして、スライド後に、第1の筐体１００の図面中右側の端部が回転軸Ａで回転できるように、第１の筐体１００の図面中右側の端部は、回転軸Ａの中心から少なくとも半径ｒだけ図面中右側にずれた位置まで（図面中実線の状態から破線の状態まで）スライド可能であるとも表現できる。また、このことは、前記第２の筐体２００が前記第３の筐体３００に対して回転せず静止した状態(Ｂ０)で、前記第1の筐体１００が前記第２の筐体２００に対して、スライド後に前記第１のヒンジ１０の回転軸Ａを中心に回転できる位置までスライドすることを意味する。以上、実施形態１による携帯端末５００の端末スタイルの例を挙げたが、(Ａ０、Ａ１、Ａ２)、(Ｂ０、Ｂ１、Ｂ２)の回転、(Ｃ０、Ｃ１)のスライドを組み合わせることで、他にも様々な利用シーンに対応した端末スタイルを提案することができる。
【００３０】
なお、上述した説明では、携帯端末５００は、第１の筐体１００内に空間部１１０とスライダー１３０を構成し、このスライダー１３０が、第２の筐体２００と連結する第１のヒンジに固定された状態で空間部１１０内をスライドすることで、第１の筐体１００は第２の筐体２００に対してスライドする構造を例として説明したが、本発明はこれに限定されない。すなわち、第２の筐体２００内に空間部１１０とスライダー１３０を構成し、このスライダー１３０が、第１の筐体１００と連結する第１のヒンジに固定された状態で空間部１１０内をスライドすることで、第２の筐体２００が第１の筐体１００に対してスライドするようにしてもよい。
【００３１】
以上、説明したように実施形態１による折り畳み携帯端末は、第１の筐体と第２の筐体を回転可能に連結する第１のヒンジと、第２の筐体と第３の筐体を回転可能に第２のヒンジと、第１の筐体と第２の筐体をスライドさせるスライド機構を備えることによって、様々な折り畳み携帯端末の使用スタイルを実現することを可能にするものである。
また、スライド機構を備えることによって、折り畳み携帯端末の使用スタイルの変更を簡単に実行できる効果もある。例えば、図２２に示した特許文献２による折り畳み式携帯電話装置では、図２２(ｄ)の状態で使用者が表示部を見ながらキー操作を行ってから、図２２(ｅ)のように表示部を表に向けて折り畳むためには、まず回転軸５による回転を行い、次に回転軸６による回転を行い、更に回転軸４による回転を行う必要があり手間が掛かる。これに対して実施形態１による折り畳み携帯端末であれば、例えば図１５の状態から、回転軸Ａによる回転を行って図１６の状態に変更し、次にスライド機構によるスライドを行って図１９の状態へ移行すればよく、簡単に使用スタイルの変更を実施できる。
【００３２】
［実施形態２］
実施形態２による折り畳み携帯端末(以下携帯端末５０１とする)を図２１に示す。図２１に示すように携帯端末５０１は、第１の筐体１０１と第２の筐体２０１と第３の筐体３０１とが、ヒンジ１１とヒンジ２１によって連結され、第２の筐体２０１を、第３の筐体３０１に対し第３の筐体３０１の短手方向へ回転可能に構成される。実施形態１による携帯端末５００は、第２の筐体２００が第３の筐体３００に対し、第３の筐体３００の長手方向へ回転可能に連結されたが、携帯端末５０１は、第２の筐体２０１を、第３の筐体３０１に対し第３の筐体３０１の短手方向へ回転可能に連結される点が異なっている。このため、スライド軸Ｃ´による第１の筐体１０１の第２の筐体２０１に対するスライドも実施形態１とは異なり、長手方向へのスライドとなる。また、図２１に示す携帯端末５０１では、第２の筐体２０１と第３の筐体３０１とを連結するヒンジ２１は１部で構成しているが、これに限定せず、第１の筐１０１と第２の筐体２０１の構造を実施形態１の携帯端末５００のようにし、ヒンジ２１を実施形態１の携帯端末５００のように２部(左右２つのヒンジで回転軸Ｂを構成)で構成することも可能である。このように、ヒンジ、レール、ストッパ、および各部の形状、大きさは本実施形態に限らずさまざまな形態を行うとることが可能である。
【産業上の利用可能性】
【００３３】
本発明は、携帯電話、スマートフォン、携帯情報端末などに広く用いることができる。
【符号の説明】
【００３４】
１０、１１、２０、２１・・・ヒンジ、
１００、１０１・・・第１の筐体、
１１０、１１１・・・空間部、
１２０、１２１・・・レール、
１３０、１３１・・・スライダー、
１４０・・・ストッパー
１５０・・・ばね
１６０・・・端部
２００、２０１・・・第２の筐体、
３００、３０１・・・第３の筐体、
４１０、４１１・・・表示部、
４２０、４２１・・・キー操作部、
４３０、４３１・・・カメラ、
４４０・・・配線、
５００、５１０・・・携帯端末
【図１】
2012109765.tif 000003
【図２】
2012109765.tif 000004
【図３】
2012109765.tif 000005
【図４】
2012109765.tif 000006
【図５】
2012109765.tif 000007
【図６】
2012109765.tif 000008
【図７】
2012109765.tif 000009
【図８】
2012109765.tif 000010
【図９】
2012109765.tif 000011
【図１０】
2012109765.tif 000012
【図１１】
2012109765.tif 000013
【図１２】
2012109765.tif 000014
【図１３】
2012109765.tif 000015
【図１４】
2012109765.tif 000016
【図１５】
2012109765.tif 000017
【図１６】
2012109765.tif 000018
【図１７】
2012109765.tif 000019
【図１８】
2012109765.tif 000020
【図１９】
2012109765.tif 000021
【図２０】
2012109765.tif 000022
【図２１】
2012109765.tif 000023
【図２２】
2012109765.tif 000024